【手続補正書】
【提出日】平成20年8月28日(2008.8.28)
【手続補正１】
【補正対象書類名】明細書
【補正対象項目名】発明の名称
【補正方法】変更
【補正の内容】
【発明の名称】通信装置、通信システム
【手続補正２】
【補正対象書類名】明細書
【補正対象項目名】特許請求の範囲
【補正方法】変更
【補正の内容】
【特許請求の範囲】
【請求項１】
他の通信装置から送信された所定の無線通信方式の信号である、コンテンツデータの信号を受信する受信手段と、
前記受信手段が受信した信号を復調する復調手段と、
表示手段と、
記憶手段と、
前記復調された信号に基づいて、前記無線通信方式で通信可能な前記他の通信装置を検出し、記憶指示を受けると、前記コンテンツデータを前記記憶手段に記憶させる制御手段と
を有する通信装置。
【請求項２】
前記受信手段は、前記通信装置が送信したダウンロード要求に応じて前記コンテンツデータの信号を受信する
請求項１に記載の通信装置。
【請求項３】
前記通信装置は、当該通信装置の振動の振動値を検出する振動検出手段
をさらに有し、
前記記憶手段は、第１の記憶手段と第２の記憶手段とを有し、
前記制御手段は、前記検出された振動値が所定の条件を満たす場合に、前記
コンテンツデータを前記第１の記憶手段に記憶し、前記検出された振動値が前記所定の条件を満たさない場合に、前記コンテンツデータを前記第２の記憶手段に記憶する
請求項１に記載の通信装置。
【請求項４】
前記受信手段は、他の通信装置から送信された所定の無線通信方式の信号である、前記コンテンツデータを案内する案内データの信号をさらに受信し、
前記制御手段は、前記復調された信号に基づいて、前記案内データに応じた画像を前記表示手段に表示させる
請求項１に記載の通信装置。
【請求項５】
前記第１の記憶手段は、ハードディスク装置であり、
前記第２の記憶手段は、半導体記憶回路である
請求項３に記載の通信装置。
【請求項６】
前記所定の無線通信方式は、超広帯域インパルス通信方式である
請求項１に記載の通信装置。
【請求項７】
少なくとも第１の通信装置と第２の通信装置との間で通信を行う通信システムであって、
前記第１の通信装置は、所定の無線通信方式の信号である、コンテンツデータの信号を送信し、
前記第２の通信装置は、
前記コンテンツデータの信号を受信する受信手段と、
前記受信手段が受信した信号を復調する復調手段と、
表示手段と、
記憶手段と、
前記復調された信号に基づいて、前記無線通信方式で通信可能な前記第１の通信装置を検出し、記憶指示を受けると、前記コンテンツデータを前記記憶手段に記憶させる制御手段と
を有する
通信システム。
【請求項８】
他の通信装置によって提供される機能を案内する案内データの所定の無線通信方式の信号を受信する受信手段と、
前記受信手段が受信した信号を復調する復調手段と、
データを変調して前記所定の無線通信方式の信号を生成する変調手段と、
前記所定の無線通信方式の信号を前記他の通信装置に送信する送信手段と、
表示手段と、
前記復調された信号に基づいて、前記無線通信方式で通信可能な前記他の通信装置を検出し、前記案内データに応じた画像を前記表示手段に表示させ、前記機能の利用指示を受けると、前記機能を利用するために用いられるコマンドを生成し、当該コマンドとコンテンツデータを前記変調手段および前記送信手段を介して前記他の通信装置に送信する制御手段と
を有する通信装置。
【請求項９】
コンテンツデータを記憶する記憶手段
をさらに有し、
前記制御手段は、前記コンテンツデータを再生することを指示する前記コマンドと、前記記憶手段から読み出した前記コンテンツデータとを、前記変調手段および前記送信手段を介して前記他の通信装置に送信する
請求項８に記載の通信装置。
【請求項１０】
少なくとも第１の通信装置と第２の通信装置との間で通信を行う通信システムであって、
前記第１の通信装置は、提供する機能を案内する案内データの無線通信方式の信号を送信し、受信したコマンドに応じて前記機能に係わる処理を実行し、
前記第２の通信装置は、
前記案内データの信号を受信する受信手段と、
前記受信手段が受信した信号を復調する復調手段と、
データを変調して前記所定の無線通信方式の信号を生成する変調手段と、
前記所定の無線通信方式の信号を前記他の通信装置に送信する送信手段と、
表示手段と、
前記復調された信号に基づいて、前記第１の通信装置を検出し、前記案内データに応じた画像を前記表示手段に表示させ、前記機能の利用指示を受けると、前記機能を利用するために用いられるコマンドを生成し、当該コマンドをコンテンツデータを前記変調手段および前記送信手段を介して前記他の通信装置に送信する制御手段と
を有する
通信システム。
【請求項１１】
他の通信装置から送信された所定の無線通信方式の信号を受信する受信手段と、
前記所定の無線通信方式の信号を前記他の通信装置に送信する送信手段と、
前記受信手段が受信した信号を復調する復調手段と、
データを変調して前記所定の無線通信方式の信号を生成する変調手段と、
表示手段と、
記憶手段と、
前記復調された信号に基づいて、前記無線通信方式で通信可能な前記他の通信装置を検出し、前記検出した他の通信装置に係わるデータに応じた画像を前記表示手段に表示させ、通信指示を受けると、前記記憶手段から読み出したデータを前記変調手段に変調させ、当該変調によって生成された信号を前記送信手段に送信させる制御手段と
を有する通信装置。
【請求項１２】
他の通信装置から送信された所定の無線通信方式の信号を受信する受信手段と、
前記所定の無線通信方式の信号を前記他の通信装置に送信する送信手段と、
前記受信手段が受信した信号を復調する復調手段と、
データを変調して前記所定の無線通信方式の信号を生成する変調手段と、
表示手段と、
記憶手段と、
前記復調された信号に基づいて、前記無線通信方式で通信可能な前記他の通信装置を検出し、前記検出した他の通信装置からデータ送信要求を受けると、当該データ送信要求の正当性を判断し、当該データ送信要求が正当であると判断した場合に、前記記憶手段から読み出したデータを前記変調手段に変調させ、当該変調によって生成された信号を前記送信手段に送信させる制御手段と
を有する通信装置。
【請求項１３】
他の通信装置から送信された所定の無線通信方式の信号である、コンテンツデータの信号と前記コンテンツデータの属性を示す第１の属性データの信号とを受信する受信手段と、
前記受信手段が受信した信号を復調する復調手段と、
表示手段と、
記憶手段と、
前記復調された信号に基づいて、前記無線通信方式で通信可能な前記他の通信装置を検出し、前記復調された前記第１の属性データと、受信するコンテンツデータの属性を示す予め保持した第２の属性データとに基づいて、前記復調されたコンテンツデータを前記記憶手段に記憶させる制御手段と
を有する通信装置。
【請求項１４】
前記制御手段は、前記第２の属性データが示す条件を前記第１の属性データが満たす場合に、前記復調されたコンテンツデータを前記記憶手段に記憶させるか否かを問い合わせる画像を前記表示手段に表示させ、記憶する旨の指示を受けると、前記コンテンツデータを前記記憶手段に記憶させる
請求項１３に記載の通信装置。
【手続補正３】
【補正対象書類名】明細書
【補正対象項目名】０００１
【補正方法】変更
【補正の内容】
【０００１】
【発明の属する技術分野】
本発明は、無線通信によってデータ伝送が可能な携帯型の通信装置、通信システムに関する。
【手続補正４】
【補正対象書類名】明細書
【補正対象項目名】０００４
【補正方法】変更
【補正の内容】
【０００４】
本発明は上述した従来技術の問題点に鑑みてなされ、無線通信によってデータの送受信や所定の機能に係わる処理のサービスを提供する際に、サービスの提供側またはサービスを受ける側で便利な機能を備えた通信装置、通信システムを提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、第３の発明の通信装置は、他の通信装置によって提供される機能を案内する案内データの所定の無線通信方式の信号を受信する受信手段と、前記受信手段が受信した信号を復調する復調手段と、データを変調して前記所定の無線通信方式の信号を生成する変調手段と、前記所定の無線通信方式の信号を前記他の通信装置に送信する送信手段と、表示手段と、前記復調された信号に基づいて、前記無線通信方式で通信可能な前記他の通信装置を検出し、前記案内データに応じた画像を前記表示手段に表示させ、前記機能の利用指示を受けると、前記機能を利用するために用いられるコマンドを生成し、当該コマンドをコンテンツデータを前記変調手段および前記送信手段を介して前記他の通信装置に送信する制御手段とを有する。
【手続補正７】
【補正対象書類名】明細書
【補正対象項目名】００１１
【補正方法】変更
【補正の内容】
【００１１】
また、第４の発明の通信システムは、少なくとも第１の通信装置と第２の通信装置との間で通信を行う通信システムであって、前記第１の通信装置は、提供する機能を案内する案内データの無線通信方式の信号を送信し、受信したコマンドに応じて前記機能に係わる処理を実行し、前記第２の通信装置は、前記案内データの信号を受信する受信手段と、前記受信手段が受信した信号を復調する復調手段と、データを変調して前記所定の無線通信方式の信号を生成する変調手段と、前記所定の無線通信方式の信号を前記他の通信装置に送信する送信手段と、表示手段と、前記復調された信号に基づいて、前記第１の通信装置を検出し、前記案内データに応じた画像を前記表示手段に表示させ、前記機能の利用指示を受けると、前記機能を利用するために用いられるコマンドを生成し、当該コマンドをコンテンツデータを前記変調手段および前記送信手段を介して前記他の通信装置に送信する制御手段とを有する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
また、第５の発明の通信装置は、他の通信装置から送信された所定の無線通信方式の信号を受信する受信手段と、前記所定の無線通信方式の信号を前記他の通信装置に送信する送信手段と、前記受信手段が受信した信号を復調する復調手段と、データを変調して前記所定の無線通信方式の信号を生成する変調手段と、表示手段と、記憶手段と、前記復調された信号に基づいて、前記無線通信方式で通信可能な前記他の通信装置を検出し、前記検出した他の通信装置に係わるデータに応じた画像を前記表示手段に表示させ、通信指示を受けると、前記記憶手段から読み出したデータを前記変調手段に変調させ、当該変調によって生成された信号を前記送信手段に送信させる制御手段とを有する。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、第６の発明の通信装置は、他の通信装置から送信された所定の無線通信方式の信号を受信する受信手段と、前記所定の無線通信方式の信号を前記他の通信装置に送信する送信手段と、前記受信手段が受信した信号を復調する復調手段と、データを変調して前記所定の無線通信方式の信号を生成する変調手段と、表示手段と、記憶手段と、前記復調された信号に基づいて、前記無線通信方式で通信可能な前記他の通信装置を検出し、前記検出した他の通信装置からデータ送信要求を受けると、当該データ送信要求の正当性を判断し、当該データ送信要求が正当であると判断した場合に、前記記憶手段から読み出したデータを前記変調手段に変調させ、当該変調によって生成された信号を前記送信手段に送信させる制御手段とを有する。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、第７の発明の通信装置は、他の通信装置から送信された所定の無線通信方式の信号である、コンテンツデータの信号と前記コンテンツデータの属性を示す第１の属性データの信号とを受信する受信手段と、前記受信手段が受信した信号を復調する復調手段と、表示手段と、記憶手段と、前記復調された信号に基づいて、前記無線通信方式で通信可能な前記他の通信装置を検出し、前記復調された前記第１の属性データと、受信するコンテンツデータの属性を示す予め保持した第２の属性データとに基づいて、前記復調されたコンテンツデータを前記記憶手段に記憶させる制御手段とを有する。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００３３
【補正方法】変更
【補正の内容】
【００３３】
以下、図１に示す通信システム１の動作例を説明する。
〔第１の動作例〕
当該動作例では、通信装置３が提供するコンテンツデータを通信装置２にダウンロードする動作を、通信装置３が提供する案内データに基づいて通信装置２のユーザが決定する場合を説明する。
当該動作例は、第１〜２の発明に対応した動作例である。
図４は、当該動作例を説明するためのフローチャートである。
ステップＳＴ１：
図２に示す通信装置２のＣＰＵ２８が、インパルス通信部３０によって復調および復号された受信データに基づいて、超広帯域インパルス通信方式によって通信可能な他の通信装置があるか否かを判断する。
そして、超広帯域インパルス通信方式によって通信可能な他の通信装置があると判断された場合は、ステップＳＴ２の処理に進み、そうでない場合にはステップＳＴ１の処理が繰り返される。
本実施形態では、ＣＰＵ２８が、当該他の通信装置として通信装置３を検出する。
【手続補正１９】
【補正対象書類名】明細書
【補正対象項目名】００４５
【補正方法】変更
【補正の内容】
【００４５】
〔第３の動作例〕
当該動作例では、通信装置２が通信装置３の機能を利用する場合を説明する。  例えば、通信装置２の記憶装置に蓄えられたデータをＴＶ（通信装置３）に送信して再生する場合などを説明する。
当該動作例は、第３〜４の発明に対応した動作例である。
図６は、当該動作例を説明するためのフローチャートである。
ステップＳＴ２１：
図２に示す通信装置２のＣＰＵ２８が、インパルス通信部３０によって復調および復号された受信データに基づいて、超広帯域インパルス通信方式によって通信可能な他の通信装置があるか否かを判断する。
そして、超広帯域インパルス通信方式によって通信可能な他の通信装置があると判断された場合は、ステップＳＴ２２の処理に進み、そうでない場合にはステップＳＴ２１の処理が繰り返される。
本実施形態では、ＣＰＵ２８が、当該他の通信装置として通信装置３を検出する。
【手続補正２０】
【補正対象書類名】明細書
【補正対象項目名】００５１
【補正方法】変更
【補正の内容】
【００５１】
〔第４の動作例〕
当該動作例では、通信装置２が通信装置３にデータを提供する場合を説明する。
当該動作例は、第５〜６の発明の対応した動作例である。
図７は、当該動作例を説明するためのフローチャートである。
ステップＳＴ３１：
図２に示す通信装置２のＣＰＵ２８が、インパルス通信部３０によって復調および復号された受信データに基づいて、超広帯域インパルス通信方式によって通信可能な他の通信装置があるか否かを判断する。
そして、超広帯域インパルス通信方式によって通信可能な他の通信装置があると判断された場合は、ステップＳＴ３２の処理に進み、そうでない場合にはステップＳＴ３１の処理が繰り返される。
本実施形態では、ＣＰＵ２８が、当該他の通信装置として通信装置３を検出する。
【手続補正２１】
【補正対象書類名】明細書
【補正対象項目名】００５６
【補正方法】変更
【補正の内容】
【００５６】
第２実施形態
図８は、本実施形態の通信システム１０１の全体構成図である。
図８に示すように、通信システム１０１は、例えば、アンテナ１２および１３を介して、通信装置１０２と通信装置３とが超広帯域インパルス通信方式で通信を行う。
本実施形態では、通信装置１０２は例えば携帯型の装置である。
また、通信装置３は、例えば、第１実施形態で説明したものと同じである。
本実施形態では、通信装置１０２は、通信環境内に存在するサービスを検出し、ユーザが予め設定した属性を持つデータの収集（ダウンロード）を行う。
当該実施形態は、第７の発明に対応した実施形態である。
【手続補正２２】
【補正対象書類名】明細書
【補正対象項目名】００７２
【補正方法】変更
【補正の内容】
【００７２】
【発明の効果】
以上説明したように、本発明によれば、無線通信によってデータの送受信や所定の機能に係わる処理のサービスを提供する際に、サービスの提供側またはサービスを受ける側で便利な機能を備えた通信装置、通信システムを提供することができる。